(57)【要約】【課題】従来よりも汎用性が高く、コストの低減や開発期間の短縮化を図ることができるとともに、製品のバリエーションを容易に増やすことができるダイヤル錠およびそのシリーズを提供する。【解決手段】ダイヤル錠１０は、施錠位置および解錠位置の一方から他方に移動可能なカム１８と、カム１８を前記施錠位置および前記解錠位置の一方から他方に移動させるツマミ１６と、複数のダイヤル３４の組合せによって、カム１８が前記施錠位置にあるときにツマミ１６を回動不能にする施錠状態、またはカム１８が前記解錠位置にあるときにツマミ１６を回動可能にする解錠状態に設定可能な施解錠装置と、前記施解錠装置を前記施錠状態から前記解錠状態にするための複数のダイヤル３４の組合せを検索するための検索装置と、を有し、完成品において検索装置の錠前４２以外の部材を取り外すことなく、錠前４２を交換可能に構成している。【選択図】図１
2013079499.tif 000002
【特許請求の範囲】
【請求項１】
施錠位置および解錠位置の一方から他方に移動可能なカムと、
前記カムを前記施錠位置および前記解錠位置の一方から他方に移動させるツマミと、
複数のダイヤルの組合せによって、前記カムが前記施錠位置にあるときに前記ツマミを回動不能にする施錠状態、または前記カムが前記解錠位置にあるときに前記ツマミを回動可能にする解錠状態に設定可能な施解錠装置と、
前記施解錠装置を前記施錠状態から前記解錠状態にするための前記複数のダイヤルの組合せを検索するための検索装置と、を有して構成されたダイヤル錠において、
前記検索装置は、前記検索を有効にするための錠前と鍵を備え、
完成品において前記錠前以外の部材を取り外すことなく、該錠前を交換可能に構成したことを特徴とするダイヤル錠。
【請求項２】
請求項１において、
完成品において前記カムおよび該カムを前記施解錠装置に着脱可能に固定するための固定部材以外の部材を取り外すことなく、該カムを交換可能に構成したことを特徴とするダイヤル錠。
【請求項３】
請求項１または２に記載のダイヤル錠を複数種類備えたダイヤル錠のシリーズにおいて、
前記錠前または前記カムを共通の部材に対して交換可能に複数種類用意したことを特徴とするダイヤル錠のシリーズ。
【発明の詳細な説明】
【技術分野】
【０００１】
本発明は、複数のダイヤルの数字を特定の組合せに設定することで解錠状態となるダイヤル錠およびそのシリーズに関する。
【背景技術】
【０００２】
従来、外周面に数字が施された円盤状のダイヤルを複数備え、これら複数のダイヤルの数字を特定の組合せ（暗証番号）に設定することで解錠状態となるダイヤル錠が広く知られている。例えば、このようなダイヤル錠の一つとして、暗証番号を検索するための検索機構を備えたダイヤル錠が提案されている（例えば、特許文献１参照）。
【先行技術文献】
【特許文献】
【０００３】
【特許文献１】特許第３３５８０８２号公報
【発明の概要】
【発明が解決しようとする課題】
【０００４】
しかしながら、従来のダイヤル錠は、ダイヤル錠が設置される扉の構造や、ダイヤル錠の使用者の要望などに合わせて設計を行う部品を多用しているため、汎用性が低く、コストの低減には限界があった。
【０００５】
本発明は、このような従来の問題点を解決するためになされたものであって、従来よりも汎用性が高く、コストの低減や開発期間の短縮化を図ることができるとともに、製品のバリエーションを容易に増やすことができるダイヤル錠およびそのシリーズを提供することを目的とする。
【課題を解決するための手段】
【０００６】
本発明は、施錠位置および解錠位置の一方から他方に移動可能なカムと、前記カムを前記施錠位置および前記解錠位置の一方から他方に移動させるツマミと、複数のダイヤルの組合せによって、前記カムが前記施錠位置にあるときに前記ツマミを回動不能にする施錠状態、または前記カムが前記解錠位置にあるときに前記ツマミを回動可能にする解錠状態に設定可能な施解錠装置と、前記施解錠装置を前記施錠状態から前記解錠状態にするための前記複数のダイヤルの組合せを検索するための検索装置と、を有して構成されたダイヤル錠において、前記検索装置は、前記検索を有効にするための錠前と鍵を備え、完成品において前記錠前以外の部材を取り外すことなく、該錠前を交換可能に構成したことを特徴とするダイヤル錠である。
【発明の効果】
【０００７】
本発明に係るダイヤル錠およびそのシリーズによれば、従来よりも汎用性が高く、コストの低減や開発期間の短縮化を図ることができるとともに、製品のバリエーションを容易に増やすことができるという優れた効果を奏し得る。
【図面の簡単な説明】
【０００８】
【図１】ダイヤル錠の正面図である。
【図２】ダイヤル錠の左側面図である。
【図３】ダイヤル錠の背面図である。
【図４】ダイヤル錠の部品を分解して示す分解図である。
【図５】（ａ）ダイヤル錠から化粧板を取り外した状態を示す外観斜視図である。（ｂ）〜（ｄ）（ａ）の外観斜視図から部品の一部を抜き出して示す分解斜視図である。
【図６】（ａ）解錠状態の施解錠装置の一部の部品を透過して示す正面図である。（ｂ）空錠状態の施解錠装置の一部の部品を透過して示す正面図である。（ｃ）解錠状態または空錠状態の施解錠装置の一部の部品を透過して示す左側面図である。（ｄ）施錠状態の施解錠装置の一部の部品を透過して示す左側面図である。（ｅ）施錠状態の施解錠装置の一部の部品を拡大して示す部分拡大図である。
【図７】（ａ）内筒に鍵を挿入した状態を正面から見た様子を示す外観斜視図である。（ｂ）内筒に鍵を挿入した状態を背面から見るとともに一部の部品を透過して示す外観斜視図である。
【図８】（ａ）検索鍵を内筒に差し込んだときの検索装置の様子を示す概略図である。（ｂ）検索鍵を右側に回して検索を開始したときの検索装置の様子を示す概略図である。（ｃ）検索鍵を右側に回して検索を終了したときの検索装置の様子を示す概略図である。
【図９】（ａ）内筒に差し込むことが可能な検索鍵と内筒交換鍵の一例を示した写真である。（ｂ）内筒に検索鍵を差し込んだ状態を示す写真である。（ｃ）内筒に内筒交換鍵を差し込んだ状態を示す写真である。
【図１０】（ａ）内ケースに嵌め込まれ、かつ検索鍵も内筒交換鍵も差し込まれていない状態の内筒を背面側から写した写真である。（ｂ）内ケースに嵌め込まれ、かつ検索鍵を差し込んだ状態の内筒を背面側から写した写真である。（ｃ）内ケースに嵌め込まれ、かつ内筒交換鍵を差し込んだ状態の内筒を背面側から写した写真である。
【図１１】ダイヤル錠を複数備えたダイヤル錠のシリーズの概念を示した概念図である。
【発明を実施するための形態】
【０００９】
以下、図面を用いて、本実施形態に係るダイヤル錠１０について詳細に説明する。図１はダイヤル錠１０の正面図、図２はダイヤル錠１０の左側面図、図３はダイヤル錠１０の背面図である。また、図４はダイヤル錠１０の部品を分解して示す分解図、図５（ａ）はダイヤル錠１０から化粧板１４を取り外した状態を示す外観斜視図、同図（ｂ）〜（ｄ）は同図（ａ）の外観斜視図から部品の一部を抜き出して示す分解斜視図である。
【００１０】
＜全体構成＞
図１〜図３に示すように、ダイヤル錠１０は、前面に開口部を有する箱状のケース１２と、このケース１２の開口部を覆うようにケース１２の前面に取り付けられる板状の化粧板１４と、これらケース１２および化粧板１４の内部に収容される施解錠装置２０（図４に示す符号２２、２４、２６、２８、３０、３１、３２、３４、３６）と、この施解錠装置２０に対して施錠または解錠の操作を行うためのツマミ１６と、施解錠装置２０のロックカム２８にネジ１７によって固定され、ロックカム２８の回動に連動して施錠位置（図６（ｂ）に示す位置）および解錠位置（図６（ａ）に示す位置）の一方から他方に回動される板状のカム１８と、スプリング３９を介してケース１２に嵌め込まれ、ケース１２に対して進退可能なラッチ３８と、施解錠装置２０によって設定された暗証番号を検索するための検索装置４０（図４に示す符号４２、４４、４６、４８）などを有して構成されている。
【００１１】
このダイヤル錠１０は、ロッカーやキャビネットなどの扉の戸先などに取り付けられて使用される。ツマミ１６によってカム１８が解錠位置から施錠位置まで回動されると、カム１８の先端が扉の戸先からラッチ３８の突出方向に突出してロッカーやキャビネットなどの本体と係合することによって扉の開閉を禁止するように構成されている。一方、ツマミ１６によってカム１８が施錠位置から解錠位置まで回動されると、カム１８の先端がロッカーやキャビネットなどの本体から退出することによって扉の開閉を許可するように構成されている。
【００１２】
＜施解錠装置＞
次に、施解錠装置２０について説明する。図４および図５に示すように、施解錠装置２０は、ケース１２内部に設置される内ケース２２と、この内ケース２２に対して水平方向にスライド可能なスライダ２４と、このスライダ２４を正面視左側に付勢するために内ケース２２とスライダ２４の間に縮設されるスプリング２６と、ツマミ１６が嵌め込まれ、ツマミ１６の回転に連動してスライダ２４をスプリング２６の付勢力に抗してスライドさせるロックカム２８と、このロックカム２８の回動を規制する規制位置（図６（ｄ）に示す位置）とロックカム２８の回動を許容する許容位置（図６（ｃ）に示す位置）との間を移動可能なセンスカム３０と、このセンスカム３０とケース１２の間に縮設されてセンスカム３０をケース１２から離反する方向に付勢するスプリング３１と、センスカム３０を上述の規制位置および許容位置の一方から他方に移動させる複数（この例では４個）のロックギア３２と、このロックギア３２の各々に係合されてロックギア３２とともに回転可能な複数（この例では４個）のダイヤル３４と、これら複数のロックギア３２およびダイヤル３４を回転可能に支持する棒状のダイヤル軸３６と、を有して構成されている。
【００１３】
次に、施解錠装置２０の動きについて説明する。図６（ａ）は、解錠状態の施解錠装置２０の一部の部品を透過して示す正面図、同図（ｂ）は空錠状態の施解錠装置２０の一部の部品を透過して示す正面図、同図（ｃ）は解錠状態または空錠状態の施解錠装置２０の一部の部品を透過して示す左側面図、同図（ｄ）は施錠状態の施解錠装置２０の一部の部品を透過して示す左側面図、同図（ｅ）は施錠状態の施解錠装置２０の一部の部品を拡大して示す部分拡大図である。
【００１４】
＜施解錠装置／解錠状態＞
同図（ａ）に示す解錠状態では、ツマミ１６は左側に回動された解錠位置にあり、このツマミ１６が嵌め込まれたロックカム２８、およびこのロックカム２８に固定されたカム１８の２つも解錠位置にある。また、この解錠状態では、スライダ２４はスプリング２６の付勢力によってケース１２内において左側に寄せられている。また、この解錠状態では、同図（ｃ）の左側面図に示すように、ロックギア３２の各々の外周面に形成された凹部に、対応するセンスカム３０の先端部の各々が入り込んでおり、センスカム３０は、スプリング３１によってケース１２から離反する方向に付勢され、ロックカム２８の回動を許容する（ロックカム２８と係合しない）許容位置に位置している。すなわち、この解錠状態は、カム１８が解錠位置にあって扉（図示省略）の開閉を許可する状態にあるが、ツマミ１６（ロックカム２８）を右側に回動させることによって施解錠装置２０を同図（ｂ）に示す空錠状態に移行させることが可能な状態である。
【００１５】
＜施解錠装置／空錠状態＞
同図（ｂ）に示す空錠状態では、ツマミ１６は右側に回動された施錠位置にあり、このツマミ１６が嵌め込まれたロックカム２８、およびこのロックカム２８に固定されたカム１８の２つも施錠位置にある。また、この空錠状態では、スライダ２４はツマミ１６と連動するロックカム２８に押され、スプリング２６の付勢力に抗してケース１２内において右側に寄せられている。また、この空錠状態では、同図（ｃ）の左側面図に示すように、ロックギア３２の各々の外周面に形成された凹部に、対応するセンスカム３０の先端部の各々が入り込んでおり、センスカム３０は、スプリング３１によってケース１２から離反する方向に付勢され、ロックカム２８の回動を許容する（ロックカム２８と係合しない）許容位置に位置している。すなわち、この空錠状態は、カム１８が施錠位置にあって扉（図示省略）の開閉を禁止する状態にあるが、ツマミ１６を左側に回動させることによって施解錠装置２０を同図（ａ）に示す解錠状態に移行させることが可能な状態である。また、この空錠状態において、ダイヤル３４を介していずれか一つのロックギア３２を回転させると、同図（ｄ）に示すように、ロックギア３２の凹部に入り込んでいたセンスカム３０の先端部がロックギア３２から退出し、センスカム３０はスプリング３１の付勢力に抗してケース１２に近接する方向に回動され、同図（ｅ）に拡大して示すように、ロックカム２８の回動を規制する（ロックカム２８と係合する）規制位置に移動し、次に説明する施錠状態となる。
【００１６】
＜施解錠装置／施錠状態＞
同図（ｄ）に示す施錠状態では、ツマミ１６は右側に回動された施錠位置にあり、このツマミ１６が嵌め込まれたロックカム２８、およびこのロックカム２８に固定されたカム１８の２つも施錠位置にある。また、この施錠状態では、センスカム３０がロックカム２８の回動を規制する（ロックカム２８と係合する）規制位置に位置しており、このロックカム２８に嵌め込まれるツマミ１６も回動が規制されている（左側に回動させることができない）。すなわち、この施錠状態は、カム１８が施錠位置にあって扉（図示省略）の開閉を禁止する状態にあり、ダイヤル３４およびロックギア３２によってセンスカム３０を上述の許容位置に移動させない限り（ダイヤル錠１０の使用者が４個のダイヤル３４に施された数字を所定の組合せに設定することによって、ロックギア３２の全ての凹部に、対応するセンスカム３０の先端部の全てが入り込み、センスカム３０がロックカム２８と係合しない位置に移動しない限り）、ツマミ１６を左側に回動させることによって施解錠装置２０を同図（ａ）に示す解錠状態に移行させることができない状態である。
【００１７】
＜検索装置＞
次に、検索装置４０について説明する。図４および図５に示すように、検索装置４０は、内ケース（外筒）２２に着脱可能な円筒状の内筒４２と、この内筒４２に係合され、内筒４２とともに軸心周りに回転可能な円筒状の内筒テール４４と、この内筒テール４４から突出する突出部に係合され、上下方向にスライド可能な板状の連結バー４６と、この連結バー４６に係合可能で、ロックギア３２の外周面に係合可能な位置およびロックギア３２から離反する位置との間を回動可能な第２センスカム４８と、内筒４２に組み込まれた複数のディスクタンブラを内ケース２２から退出させて内筒４２と内ケース２２の係合を解除するための検索鍵５０（図７や図８参照）と、内筒４２の交換（着脱）を可能とする内筒交換鍵５２（図９などを参照）と、を有して構成されている。
【００１８】
次に、検索装置４０の動きについて説明する。図７（ａ）は内筒４２に検索鍵５０を挿入した状態を正面から見た様子を示す外観斜視図であり、同図（ｂ）は内筒４２に検索鍵５０を挿入した状態を背面から見るとともに一部の部品を透過して示す外観斜視図である。また、図８（ａ）は、検索鍵５０を内筒４２に差し込んだときの検索装置４０の様子を示す概略図であり、同図（ｂ）は、検索鍵５０を右側に回して検索を開始したときの検索装置４０の様子を示す概略図であり、同図（ｃ）は、検索鍵５０を右側に回して検索を終了したときの検索装置４０の様子を示す概略図である。
【００１９】
図７および図８（ａ）に示すように、検索鍵５０を内筒４２の鍵穴に挿入すると、内筒４２から突出しているディスクタンブラが内筒４２内に収容されて内筒４２と内ケース２２の係合が解除され、内筒４２が内ケース２２に対して軸心周りに回動可能な状態となる。次に、図８（ｂ）に示すように、検索鍵５０を右側に回して内筒４２を時計回りに回動させると、この内筒４２に係合された内筒テール４４も同じ時計回りに回動する。内筒テール４４が時計回りに回動すると、この内筒テール４４の突出部に係合された連結バー４６が上方向にスライドされ、この連結バー４６に係合された第２センスカム４８が、図８（ａ）に示す、ロックギア３２と離反する位置から、同図（ｂ）、（ｃ）に示す、ロックギア３２の外周面に係合可能な位置まで回動される。この状態において、同図（ｃ）に示すように、ダイヤル３４を介してロックギア３２を回転させると、第２センスカム４８の先端部がロックギア３２の凹部に入り込んで、ダイヤル３４とロックギア３２が回動不能となる。そして、全てのダイヤル３４に対して同様の操作を行い、全てのダイヤル３４とロックギア３２が回動不能な状態となったときに、上述の空錠状態（カム１８が施錠位置にあって扉（図示省略）の開閉を禁止する状態にあるが、ツマミ１６を左側に回動させることによって施解錠装置２０を解錠状態に移行させることが可能な状態）となるように構成している。すなわち、検索鍵５０を用いて図８（ａ）〜（ｃ）に示した検索操作を行うことによって、ダイヤル錠１０の暗証番号（ダイヤル３４の数字の組合せ）を検索することが可能である。
【００２０】
＜検索鍵と内筒交換鍵＞
次に、検索鍵５０と内筒交換鍵５２について説明する。図９（ａ）は内筒４２の鍵穴に差し込むことが可能な検索鍵５０と内筒交換鍵５２の一例を示した写真であり、同図（ｂ）は内筒４２に検索鍵５０を差し込んだ状態を示す写真であり、同図（ｃ）は内筒４２に内筒交換鍵５２を差し込んだ状態を示す写真である。
【００２１】
同図（ａ）に示すように、検索機構４０は、上述の検索鍵５０と、この検索鍵５０よりも鍵溝部分が長い内筒交換鍵５２と、を有している。そして、同図（ｂ）および（ｃ）に示すように、内筒４２が備える複数のディスクタンブラのうち、鍵穴の入り口から最も遠い位置に配置されたディスクタンブラ４２ａは、検索鍵５０の鍵溝部分には係合不能とされ、検索鍵５０によっては動かすことができない構造とされている一方で、内筒交換鍵５２の鍵溝部分には係合可能とされ、内筒交換鍵５２によってのみ動かすことができる構造とされている。
【００２２】
＜内筒の交換方法＞
次に、内筒４２の交換方法について説明する。図１０（ａ）は、内ケース２２に嵌め込まれ、かつ検索鍵５０も内筒交換鍵５２も差し込まれていない状態の内筒４２を背面側から写した写真であり、同図（ｂ）は、内ケース２２に嵌め込まれ、かつ検索鍵５０を差し込んだ状態の内筒４２を背面側から写した写真であり、同図（ｃ）は、内ケース２２に嵌め込まれ、かつ内筒交換鍵５２を差し込んだ状態の内筒４２を背面側から写した写真である。
【００２３】
同図（ａ）に示すように、内ケース２２には、内筒４２の外径とほぼ同じ内径を有する内筒挿入孔２２ａと、この内筒挿入孔２２ａに連続する矩形状の溝部２２ｂが形成されている。一方、内筒４２の最も奥側のディスクタンブラ４２ａは、同図（ａ）、（ｂ）に示すように、検索鍵５０や内筒交換鍵５２を差し込んでいないとき、または検索鍵５０を差し込んだときは、内ケース２２の溝部２２ｂよりも大きな形状を有する突出部が内筒４２の外周面から突出するように構成され、内筒交換鍵５２を差し込んだときは、同図（ｃ）に示すように、同図（ａ）、（ｂ）に示す突出部が内筒４２の内部に退出する代わりに、内ケース２２の溝部２２ｂと相補的形状を有する突出部が内筒４２の内部から突出するように構成されている。
【００２４】
このため、同図（ｂ）に示すように、内筒４２に検索鍵５０を差し込んだときは、ディスクタンブラ４２ａの突出部（溝部２２ｂよりも大きな形状を有する突出部）が内ケース２２の溝部２２ｂを通過することができず、内筒４２を内ケース２２の内筒挿入孔２２ａに挿入したり、内筒挿入孔２２ａから抜き出すことができない。一方、同図（ｃ）に示すように、内筒４２に内筒交換鍵５２を差し込んだときは、ディスクタンブラ４２ａの突出部（溝部２２ｂと相補的形状を有する突出部）が溝部２２ｂを通過することが可能となるため、内筒４２を内ケース２２の内筒挿入孔２２ａに挿入したり、内筒挿入孔２２ａから抜き出すことができる。
【００２５】
＜ダイヤル錠のシリーズ＞
図１１は、上述のダイヤル錠１０を複数備えたダイヤル錠のシリーズの概念を示した概念図である。
【００２６】
上述のとおり、ダイヤル錠１０は、全ての部材を組み立てた完成品において、内筒交換鍵５２を用いて内筒４２のみを着脱することによって、内筒４２以外の部材を取り外すことなく、内筒４２のみを交換することが可能である。また、カム１８も同様に、ダイヤル錠の１０の完成品において、ネジ１７を取り外してカム１８を着脱することによって、ネジ１７およびカム１８以外の部材を取り外すことなく、カム１８のみを交換することが可能である。さらに、ツマミ１６は、ロックカム２８に嵌め込まれているため、ツマミ１６も交換（着脱）することが可能である。
【００２７】
すなわち、図１１に示すように、内筒４２、カム１８、ツマミ１８を共通の部材に対して交換可能に複数種類用意すれば、内筒４２、カム１８、ツマミ１８以外の部材を共通化することができるため、コストの低減や開発期間の短縮化が実現可能である上に、汎用性を高めることができる。また、ダイヤル錠１０の使用者の要求に合わせて、複数種類の内筒（例えば、鍵穴が異なる内筒）４２ａ、４２ｂ、…の中から一つの内筒４２を選択し、複数種類のカム（例えば、形状が異なるカム）１８ａ、１８ｂ、…の中から一つのカム１８を選択し、複数種類のツマミ（例えば、形状や色が異なるツマミ）１８ａ、１８ｂ、…の中から一つのツマミ１８を選択することが可能となるため、ダイヤル錠のバリエーションを増やすことができる。
【００２８】
以上説明したように、本実施形態に係るダイヤル錠１０は、施錠位置および解錠位置の一方から他方に移動可能なカム（例えば、カム１８）と、前記カムを前記施錠位置および前記解錠位置の一方から他方に移動させるツマミ（例えば、ツマミ１６）と、複数のダイヤル（例えば、ダイヤル３４）の組合せによって、前記カムが前記施錠位置にあるときに前記ツマミを回動不能にする施錠状態、または前記カムが前記解錠位置にあるときに前記ツマミを回動可能にする解錠状態に設定可能な施解錠装置（例えば、施解錠装置２０）と、前記施解錠装置を前記施錠状態から前記解錠状態にするための前記複数のダイヤルの組合せを検索するための検索装置（例えば、検索装置４０）と、を有して構成されたダイヤル錠において、前記検索装置は、前記検索を有効にするための錠前（例えば、内筒４２）と鍵（例えば、検索鍵５０）を備え、完成品において前記錠前以外の部材を取り外すことなく、該錠前を交換可能に構成したことを特徴とするダイヤル錠である。
【００２９】
本実施形態に係るダイヤル錠１０によれば、従来よりも汎用性が高く、コストの低減や開発期間の短縮化を図ることができる。
【００３０】
また、完成品において前記カムおよび該カムを前記施解錠装置に着脱可能に固定するための固定部材（例えば、ネジ１７）以外の部材を取り外すことなく、該カムを交換可能に構成してもよい。
【００３１】
このような構成とすれば、ダイヤル錠が設置される扉の構造や使用者の要求などに応じてカムを容易に変更することができる。
【００３２】
また、上述のダイヤル錠を複数種類備えたダイヤル錠のシリーズにおいて、前記錠前または前記カムを共通の部材に対して交換可能に複数種類用意してもよい。
【００３３】
このような構成とすれば、ダイヤル錠が設置される扉の構造や使用者の要求などに応じて錠前やカムを容易に変更することができるとともに、錠前やカムを複数種類用意するだけで、ダイヤル錠のバリエーションを容易に増やすことができる。
【００３４】
なお、本発明に係るダイヤル錠の構成は、上記ダイヤル錠１０の構成に限定されず、例えば、内筒、カム、ツマミの全てを交換としたが、例えば、内筒のみを交換可能に構成したり、内筒とカムのみを交換可能に構成したりしてもよい。また、内筒をディスクタンブラ式の錠前で構成したが、ピンタンブラ式など、他の方式の錠前で構成してもよい。
【産業上の利用可能性】
【００３５】
本発明に係るダイヤル錠は、ロッカーやキャビネットなどの錠前として適用することができる。
【符号の説明】
【００３６】
１０  ダイヤル錠
１２  ケース
１４  化粧板
１６  ツマミ
１８  カム
２２  内ケース
２４  スライダ
２６、３１、３９  スプリング
２８  ロックカム
３０  センスカム
３２  ロックギア
３４  ダイヤル
３６  ダイヤル軸
３８  ラッチ
４２  内筒
４４  内筒テール
４６  連結バー
４８  第２センスカム
５０  検索鍵
５２  内筒交換鍵
【図１】
2013079499.tif 000003
【図２】
2013079499.tif 000004
【図３】
2013079499.tif 000005
【図４】
2013079499.tif 000006
【図５】
2013079499.tif 000007
【図６】
2013079499.tif 000008
【図７】
2013079499.tif 000009
【図８】
2013079499.tif 000010
【図９】
2013079499.tif 000011
【図１０】
2013079499.tif 000012
【図１１】
2013079499.tif 000013